(57)【要約】【課題】４番カバーにある４番物を移送体及び４番カバーを経て４番口内に円滑に回収する脱穀機の４番処理装置を提供する。【解決手段】穀稈をフィードチエン１０で扱室２内に搬送して脱穀し、脱穀された穀稈を排稈搬送体１１によって４番口１２及び４番カバー１５上を経て機外に排出し、かつ、前記扱室２の下方に揺動選別体８に設けた脱穀機１である。前記４番カバー１５の排稈搬送下手側に、４番物を穂先側から株元側へ移送する移送体１８を設ける。更に、移送体１８の終端に前記４番口１２に向けて傾斜させた４番漏斗３２を設け、前記移送体１８の終端から前記４番漏斗３２に落とした４番物を、前記４番口１２を経て前記揺動選別体８に還元する。【選択図】        図２
2004242589.tif 000002
【特許請求の範囲】
【請求項１】
穀稈をフィードチエン（１０）で扱室（２）内に搬送して脱穀し、脱穀された穀稈を排稈搬送体（１１）によって４番口（１２）及び４番カバー（１５）上を経て機外に排出し、かつ、前記扱室（２）の下方に揺動選別体（８）に設けた脱穀機（１）において、前記４番カバー（１５）の排稈搬送下手側に、４番物を穂先側から株元側へ移送する移送体（１８）を設け、該移送体（１８）の終端に前記４番口（１２）に向けて傾斜させた４番漏斗（３２）を設け、前記移送体（１８）の終端から前記４番漏斗（３２）に落とした４番物を、前記４番口（１２）を経て前記揺動選別体（８）に還元させることを特徴とする脱穀機の４番処理装置。
【請求項２】
移送体（１８）の終端を排稈搬送体（１１）の下方に設けて４番物を揺動選別体（８）に還元させる請求項１記載の脱穀機の４番処理装置。
【請求項３】
移送体（１８）を、穂先側より株元側が低くなるように傾斜させて設置した請求項１又は２記載の脱穀機の４番処理装置。
【発明の詳細な説明】
【０００１】
【発明の属する技術分野】
本発明は、４番カバーにある４番物を４番口内に還元する脱穀機の４番処理装置に関するものである。
【０００２】
【従来の技術】
図５に示すように、扱室で脱穀された穀稈（図示せず）を排藁チェーン５ａによって搬送する際に、右側４番カバー６ａ’上に落下した４番物を右側４番カバー６ａ’に設けた樋１２ａ内に集めるとともに、この樋１２ａの底壁１４ａに穿設した窓孔１５ａから処理室４ａ内に還元する脱穀機の４番処理装置が知られている（例えば、特許文献１参照。）。
【０００３】
【特許文献１】
実開昭６３−１５７４８号公報（第５〜６頁、図１）
【０００４】
【発明が解決しようとする課題】
しかし、従来は、４番物が揺動選別体３ａの終端部に還元されるので、穀粒が屑類と一緒に機外に排出され易いという問題がある。
【０００５】
更に、従来の４番処理装置は、右側４番カバー６ａ’の樋１２ａ内に落下した４番物を、樋１２ａの底壁１４ａに穿設したスリット状の窓孔１５ａから処理室４ａ内に落下還元させるので、４番物が窓孔１５ａに引っ掛かったり、詰まったりして落下し難いという問題がある。
【０００６】
この窓孔１５ａを大きくすると、その直下で回転している処理胴２ａの回転起風が窓孔１５ａから吹き出して４番物が機外に排出されるなどの新たな問題が生ずる恐れがある。尚、図５中、１ａは吸引ファン、３ａは揺動選別体、７ａはスパイラー、１３ａは室、２１ａは固定選別体、２２ａは４番樋を示している。
【０００７】
本発明は、このような問題に鑑みてなされたものであり、４番物を揺動選別体のほぼ中程に還元し、穀粒が屑類と一緒に機外に排出されるのを防ぐようにした脱穀機の４番処理装置を提供することを主たる目的とするものである。
【０００８】
【課題を解決するための手段】
上記目的を達成するため、本発明の脱穀機の４番処理装置は、穀稈をフィードチエンで扱室内に搬送して脱穀し、脱穀された穀稈を排稈搬送体によって４番口及び４番カバー上を経て機外に排出し、かつ、前記扱室の下方に揺動選別体に設けた脱穀機において、前記４番カバーの排稈搬送下手側に、４番物を穂先側から株元側へ移送する移送体を設け、該移送体の終端に前記４番口に向けて傾斜させた４番漏斗を設け、前記移送体の終端から前記４番漏斗に落とした４番物を、前記４番口を経て前記揺動選別体に還元させることを特徴とする。
【０００９】
また、本発明は、移送体の終端を排稈搬送体の下方に設けて４番物を揺動選別体に還元させることを特徴としている。更に、本発明は、移送体を、穂先側より株元側を低くするように傾斜させて設置したことを特徴としている。
【００１０】
【発明の実施の形態】
以下、図面を参照しながら本発明の実施の形態について説明する。
【００１１】
図１は、本発明の４番処理装置を備えた脱穀機の側断面図である。図１において、１は、コンバインに搭載される脱穀機であり、機体１ａの上部に形成した扱室２内に扱胴３を回転可能に軸架するとともに、扱歯３ａの回転軌跡に沿って扱胴３の下側に半円弧状の受網４を張設している。更に、この受網４の前後の前側板５および後側板６によって穀稈入口５ａと穀稈出口６ａとを形成している。
【００１２】
上記機体１ａの下部には、送風ファン７および排塵ファン７ａによって形成される選別風路内に脱穀物の揺動選別を行う揺動選別体８を前後方向に揺動可能に装架している。更に、この揺動選別８の下方には、１番物を回収する１番ラセン９と、２番物を揺動選別体８に還元送りする２番ラセン９ａを配設している。
【００１３】
そして、扱室２の扱口に沿って設けたフィードチエン１０によって穀稈（図示せず）を扱室２内に供給して扱胴３で脱穀する一方、脱穀済みの穀稈をフィードチエン１１ｂと挟持レール１１ａからなる排稈搬送体１１によって搬送して機外に排出するようにしている。
【００１４】
また、扱室２の後方で、かつ、排稈搬送体１１の下方に位置している４番口１２は、図２に示すように、機体１ａの左右の側壁１３，１３と、前側の後側板６と、後側の４番カバー１５によって形成されている。
【００１５】
また、４番カバー１５の排稈搬送下手側には、穀類と屑が混合している４番物を穂先側から株元側へ移送する移送体１８が設けられている。この移送体１８は、樋部１６と、移送ラセン１７から構成されている。
【００１６】
尚、上記４番カバー１５は、排塵ファン７ａの上方を覆う点で従来のものと同様であり、機体１ａの後部には、ディスク切断刃方式のカッタ２０が着脱可能に装着されている。そして、フィードチエン１０から継送される穀稈を機体内側に向けて斜め方向に送るように斜設させた排稈搬送体１１によって上記カッタ２０に供給するようにしている。図２中、２１は、扱室２の奥側に連設した処理胴である。
【００１７】
次に、４番処理装置について具体的に説明する。
【００１８】
図２に示すように、４番口１２の後方で、かつ、排稈搬送体１１の下方に設けられた４番カバー１５は、排稈搬送体１１に沿う平板状の穂先側カバー２５および株元側カバー２６を左右に備えるとともに、その間に前方の４番口１２に向けて傾斜させた４番漏斗３２を備えている。この４番漏斗３２は、図４に示すように、４番口１２に向けて傾斜させた４番流板２７と、この４番流板２７と上記株元側カバー２６との間にあって凹溝状に形成され、かつ、４番口１２に向けて傾斜させた４番戻し流板３０により構成されている。
【００１９】
そして、穂先側カバー２５と、４番流板２７と、４番戻し流板３０の上端部には、搬送される稈身方向に沿うように移送体１８が設けられている。この移送体１８の樋部１６は、穂先側から株元側へ向けて下り勾配となるように設けられ、その移送方向終端部は、凹溝状に形成されている４番戻し流板３０の上縁部に対応する部位に還元樋口２９を備えている。尚、移送体１８は、排稈搬送体１１の下方に位置しているので、傾斜させない場合もある。
【００２０】
図２および図４に示すように、樋部１６内に回転自在に軸支された移送ラセン１７は、扱胴３及び排稈搬送体１１の駆動と同期する駆動モータ３１によって駆動するようにしている。このため、４番カバー１５から移送体１８の樋部１６内に入り込んだ４番物は、移送ラセン１７によって穂先側から株元側へ移送され、樋部１６の移送方向終端部に設けた還元樋口２９から凹溝状の４番戻し流板３０上に排出される。
【００２１】
還元樋口２９から凹溝状の４番戻し流板３０上に排出された４番物は、４番戻し流板３０上を４番口１２に向かって流下し、その終端から４番口１２内に落下する。そして、４番口１２を通過してその直下に位置している揺動選別体８のほぼ中程、例えば、ストローラック８ａの前端に還元される。尚、揺動選別体８のほぼ中程に還元された４番物は、２番物と排塵物とに選別される。
【００２２】
上記のように、本発明によれば、４番カバー１５上に落ちた４番物は、排稈搬送体１１によって後方に搬送される穀稈の垂れ下がった穂先側及び株元側によって機外に掃き出されようとするが、その終端に設けられた移送体１８の樋部１６内に落下する。樋部１６の中に落ちた４番物は、樋部１６内に設けられた移送ラセン１７により、順次、４番口１２に向けて設けた凹溝状の４番戻し流板３０側に向けて排出される。４番戻し流板３０に排出された４番物は、４番戻し流板３０上を流下して４番口１２内に落下し、揺動選別体８のほぼ中程に還元される。揺動選別体８のほぼ中程に還元された４番物は、穀粒と屑類とに選別される。
【００２３】
このとき、移送体１８は、その樋部１６が穂先側から株元側へ向かって低くなるように傾斜しているので、４番戻し流板３０側に向けて４番物が円滑に移送される。
【００２４】
また、本発明によれば、移送体１８の終端が排稈搬送体１１の下方に設けられているので、４番物が排稈搬送体１１によって搬送される穀稈よりも下方で、かつ、離れた位置にて４番戻し流板３０に向けて送られることから、移送体１８から送り出される４番物が排出される穀稈に付着することがない。
【００２５】
尚、図示例では、樋部１６内に移送ラセン１７を設けたが、移送ラセン１７に限ることなく、例えば、搬送ベルトを樋部１６内に張設して４番物を回収するようにしてもよい。
【００２６】
【発明の効果】
上記のように、本発明は、穀稈をフィードチエン１０で扱室２内に搬送して脱穀し、脱穀された穀稈を排稈搬送体１１によって４番口１２及び４番カバー１５上を経て機外に排出し、かつ、前記扱室２の下方に揺動選別体８に設けた脱穀機１において、前記４番カバー１５の排稈搬送下手側に、４番物を穂先側から株元側へ移送する移送体１８を設け、該移送体１８の終端に前記４番口１２に向けて傾斜させた４番漏斗３２を設け、前記移送体１８の終端から前記４番漏斗３２に落とした４番物を、前記４番口１２を経て前記揺動選別体８に還元させるようにしている。
【００２７】
従って、排稈搬送体１１によって搬送される穀稈から落下して移送体１８に至った４番物は、４番漏斗３２および４番口１２を経て揺動選別体８のほぼ中程に還元される。その結果、穀粒が屑類と一緒に機外に排出されるのを防ぐことができる。
【００２８】
また、本発明は、移送体１８の終端を排稈搬送体１１の下方に設けて４番物を揺動選別体８に還元させるので、穂先側から移送体１８によって移送された４番物の付着を防止することができる。
【００２９】
更に、本発明は、移送体１８を穂先側より株元側を低くするように傾斜させて設置したので、移送体１８の傾斜に沿って４番物の移送を速やかに行なうことができる。従って、排稈搬送体１１によって搬送される穀稈に対して４番物の再付着を防止することができる。
【図面の簡単な説明】
【図１】本発明の４番処理装置を備えた脱穀機の側断面図である。
【図２】本発明の４番処理装置を備えた脱穀機の要部を示す平面図である。
【図３】本発明の４番処理装置を備えた脱穀機の背面図である。
【図４】４番処理装置の斜視図である。
【図５】従来の４番処理装置の縦断面図である。
【符号の説明】
１  脱穀機
２  扱室
８  揺動選別体
１０  フィードチエン
１１  排稈搬送体
１２  ４番口
１５  ４番カバー
１８  移送体
３２  ４番漏斗
【図１】
2004242589.tif 000003
【図２】
2004242589.tif 000004
【図３】
2004242589.tif 000005
【図４】
2004242589.tif 000006
【図５】
2004242589.tif 000007